(57)【要約】【課題】            本発明は肩パッドに関するものであり、表地のアームホール部への縫い付けに際し、所定のデザインを仕上げるための作業性向上を図ると共に、着用者への違和感解消と、上着の外観品位低下の改善とを実現すること。【解決手段】        布帛からなる天井材と床材とを接合構成した略半楕円形の肩パッドであって、この略半楕円形の弦に相当する上記天井材の端部中央部分に、伸縮性布帛からなる調節部材を設けることにより、上記課題を解決する。【選択図】          図１
2005206953.tif 000002
【特許請求の範囲】
【請求項１】
布帛からなる天井材と床材とを接合構成した略半楕円形の肩パッドにおいて、該略半楕円形の弦に相当する前記天井材の端部中央部分に、伸縮性布帛からなる調節部材を設けたことを特徴とする肩パッド。
【請求項２】
前記天井材の前記端部中央部分に開口部を形成し、前記調節部材が該開口部を充当するように接合されていることを特徴とする請求項１に記載の肩パッド。
【請求項３】
前記調節部材及び／又は前記天井材と、前記床材とで挟持された厚肉部材を備えてなることを特徴とする請求項１または請求項２に記載の肩パッド。
【発明の詳細な説明】
【技術分野】
【０００１】
本発明は、ブラウス、ジャケット、コートなどの上着を縫製する際、肩に相当する部分に取り付けられる肩パッドに関し、特に、薄手の表地であっても美麗なシルエットを実現し、かつ、縫製作業が容易な肩パッドに関する。
【背景技術】
【０００２】
従来から、ブラウス、ジャケット、コートなどの上着では、肩の輪郭を明確に表現するため、肩パッドが縫着して使用されている。この様な肩パッドとして、例えば特開昭５２−５８６４３号公報（特許文献１）では、大きさが異なる熱可塑性プラスチックの不織布からなる層状成形物を、中央部が膨らみを持つように順次に重ね合わせ、成形型によるプレス加工で接着構成した肩パッドが開示されている。この技術では、同公報の第５図に示されるように、成形型によって逆Ｕ字状に成形し、肩パッドを調製するものである。
【０００３】
一方、上述した逆Ｕ字状の肩パッドとして、実開平６−８５３２１号公報（特許文献２）には、熱収縮率の異なる２枚の不織布を積層接着した後、これを熱収縮させ、熱収縮率の大きい不織布側に湾曲せしめる。この様にして、逆Ｕ字状に立体化させた保形用芯材も知られている。
【０００４】
また、ジャケットやコートなどの防寒機能をも兼ね備えた上着では、従前、表地を厚くすることによって保温性を高める手法が主流であった。従って、肩パッドの構成も保型性を高めるべく多数の布帛を積層構成する、或いは見掛け密度や通気性が低いウレタンフォームなどを併用することも一般化している。しかしながら、表地を構成する繊維の高機能化につれて、比較的薄手の表地でも防寒機能を果たすことが可能となってきている。
【０００５】
【特許文献１】特開昭５２−５８６４３号公報（［特許請求の範囲］、第３図、第４図、第５図）
【特許文献２】実開平６−８５３２１号公報（［実用新案登録請求の範囲］、［図１］）
【発明の開示】
【発明が解決しようとする課題】
【０００６】
上述したように従来の肩パッドは、何れも、予め逆Ｕ字状に立体化した状態でアームホール部に接合して保型性を持たせたものである。しかしながら、薄手の表地の場合、予め所定形状に成型された肩パッドの形状に拘束され、アームホール部のデザインに関する自由度が失われてしまう。この点を補うためには、多種多様な形状の肩パッドを揃える必要があり、上着のデザインに応じた肩パッドの使い分けを余儀なくされていた。
【０００７】
また、このような不都合を解消するため、肩パッドの表地への縫い付けに際して微妙な調整を行おうとすれば、肩パッドの床材面（前述した逆Ｕ字状の凹面側）に波打ち皺を生じる。このため、従来の肩パッドには、この皺によって着用者に違和感を与え、或いは上着としての外観品位をも損なうという問題点が有った。
【０００８】
この発明は上述した従来の問題点に鑑みなされたものであり、表地のアームホール部への縫い付けに際して、所定のデザインを仕上げるための作業性向上を図ることが可能であり、しかも、着用者への違和感解消と、上着の外観品位低下の低減とを実現し得る肩パッドを提供することを目的とする。
【課題を解決するための手段】
【０００９】
この目的の達成を図るため、本発明に係る肩パッドの構成によれば、布帛からなる天井材と床材とを接合構成した略半楕円形の肩パッドにおいて、この略半楕円形の弦に相当する上述した天井材の端部中央部分に、伸縮性布帛からなる調節部材を設けたことを特徴としている。尚、ここに言う「端部」とは、上着のアームホール部に縫合する際、肩パッドの袖付部分（または袖付け線とも称される）に相当する端縁領域を意味する。
【００１０】
また、本発明の肩パッドにあっては、上述した天井材の中央部分に開口部が形成されており、前述した調節部材が当該開口部を充当するように接合されているのが好ましい。
【００１１】
さらに、本発明の肩パッドでは、上述した調節部材及び／又は前述した天井材と、前述の床材とで挟持された厚肉部材を設けても良い。
【発明の効果】
【００１２】
この発明に係る肩パッドの構成によれば、天井材の所定部分に伸縮性布帛からなる調節部材を設ける。このため、上着のアームホール部の曲率に応じて天井材と表地とを沿わせながら接合する際、曲率の比較的小さい床材側での波打ち皺発生を低減せしめることが可能である。また、この様な接合に際して、調節部材が伸度を有するために作業性を損なうことが少ない。
【発明を実施するための最良の形態】
【００１３】
以下、本発明に係る肩パッドの好適な形態に関し、図面を参照して説明する。尚、以下に説明する形態は、本発明の理解が容易となる程度に特定の形状、配置関係、並びに数値的条件などを挙げて説明するが、本発明は、これら特定条件にのみ限定されるものではない。
【００１４】
図１は、本発明の好適例を説明するため、天井材側から肩パッドを見た場合の平面図、図２は、図１に示す一点鎖線Ａ−Ａ’の部分で切り欠いた概略断面を模式的に示す説明図である。
【００１５】
まず、図１に示す肩パッド１１は、半楕円形を有する天井材１３の弦に相当する端部中央部分に開口部１５を設けてある。また、図２からも理解できるように、この開口部１５を充当するように、伸縮性布帛からなる調節部材１７が設けられる。天井材１３と床材１９とは、何れも半楕円形に裁断された後、例えば縫糸２１ａによって接合される。さらに、開口部１５近傍では、縫糸２１ｂが、天井材１３、調節部材１７並びに床材１９を接合すると共に、天井材１３及び調節部材１７と、床材１９との間に厚肉部材２３が脱落しないように挟持された構成となっている。また、他の形態として、縫糸２１ａが天井材１３と床材１９とに加えて、厚肉部材２３をも接合する場合、縫糸２１ｂが天井材１３と調節部材１７とのみを接合する構成としても良い。係る場合には、開口部１５の近傍における調節部材１７の伸張に関する自由度を向上させることができる。
【００１６】
ここで、本発明に係る肩パッド１１を図示していないアームホール部に縫着する際、開口部１５を充当している調節部材１７が伸張することで床材１９側への皺発生を低減する様に作用する。従って、上述した縫糸２１ｂによる接合は、開口部１５を画成する天井材１３の端縁を跨いで行うのが望ましい。更には、開口部の中央領域では、縫糸２１ｂによる接合を避け、開口部を充当する調節部材１７の伸張を妨げない形態とするのが良い。
【００１７】
また、これら図においては、開口部１５の開口寸法に較べて大きな厚肉部材２３を例示し、調節部材１７及び天井材１３と、床材１９とで厚肉部材２３を挟持する場合を示している。しかしながら、本発明は、これに限定されるものではなく、調節部材に較べて厚肉部材の寸法を小さく採り、上記縫糸２１ｂによる接合で、調節部材と床材とによって厚肉部材が挟持された構成とすることもできる。
【００１８】
上述した種々の形態にあって、天井材１３と床材１９とは、同種または異種の布帛とすることができ、不織布、織物または編物といった布帛で構成される。また、調節部材１７としては、例えば捲縮発現された短繊維からなる不織布や、弾性繊維を用いた織物、或いはトリコットなどの伸縮性を有する編物などの伸縮性布帛から構成されるものである。
【００１９】
上述した天井材１３及び床材１９を構成する布帛は伸縮性を有する必要はないが、先に述べた波打ち皺を低減するため、調節部材１７を構成する伸縮性布帛に較べて床材２１の伸び率が低く、肩パッド全体の形状を維持する目的から剛性を有する素材を採用する必要がある。従って、床材または天井材として、上述した布帛に、アクリル樹脂など周知のバインダを適用することにより、剛性を付与したものが望ましい。
【００２０】
また、厚肉部材２３は、例えば中入れ綿等に用いられている中空ポリエステル繊維による合成繊維の集合体、綿、ウール、ウレタンフォームなどを設計に応じて配設することができる。この厚肉部材２３の配置関係として、図１及び図２には、床材１９と、天井材１３及び調節部材１７とに挟持した状態で縫糸２１ｂによって固定した場合を例示している。しかし、これに限定されるものではなく、厚肉部材を調節部材に較べて小さくすることにより、厚肉部材が調節部材１７と床材１９とによってのみ挟持されていても良い。
【００２１】
さらに、以上に説明した形態では、開口部１５が天井材及び床材と同様な半楕円形若しくは半円形として構成された場合を例示したが、開口部の形状を例えば三角形とすることもできる。既に述べたとおり、肩パッドをアームホール部に沿わせて縫製する際、天井材１３と図示していない表地とが接した状態で湾曲させながら接合する。従って、少なくとも天井材の端部中央部分に設けられていれば、この部分に配設された調節部材が開口部１５の弦方向（一点鎖線Ａ−Ａ’方向）に伸張し、相対する面を構成する床材での波打ち皺を解消することができる。
【００２２】
加えて、天井材と床材との概形を相似形状とし、天井材に較べて床材を小さく構成することにより、図２に示すように、端部中央部分の開口部から肩パッドの他端側に向かって厚さが漸減する。このような設計とすることによって、上着のアームホール部から襟に向かってのデザイン設計を有効なものとすることができる。この他、設計の変更及び変形は、本発明の目的の範囲内で任意好適に行うことができる。
【図面の簡単な説明】
【００２３】
【図１】本発明の肩パッドの好適形態を説明するための平面図、
【図２】本発明の肩パッドの好適形態を説明するための断面図。
【符号の説明】
【００２４】
１１：肩パッド、
１３：天井材、
１５：（端部中央部分の）開口部、
１７：調節部材、
１９：床材、
２１ａ，２１ｂ：縫糸、
２３：厚肉部材。
【図１】
2005206953.tif 000003
【図２】
2005206953.tif 000004